(57)【要約】  本発明の歯周疾患検査装置１００は、口腔内における検査対象部位Ｒを照明する照明装置１２６及び照明装置１２６によって照明した検査対象部位Ｒに含まれる毛細血管を拡大して撮影する撮像装置１１８を有する口腔内カメラ１１０と、撮像装置１１８から得られる撮影画像に基づいて、毛細血管の状態を評価する機能を有する画像処理装置１４２とを備える。  本発明の歯周疾患検査装置１００によれば、患者に苦痛を与えることがなく、かつ、定量性、客観性の高い検査結果を得ることが可能となる。
2008013181.tif 000002
【特許請求の範囲】
【請求項１】
口腔内における検査対象部位を照明する照明装置及び前記照明装置によって照明した検査対象部位に含まれる毛細血管を拡大して撮影する撮像装置を備える口腔内カメラと、
前記撮像装置から得られる撮影画像に基づいて、毛細血管の状態を評価する機能を有する画像処理装置とを備えることを特徴とする歯周疾患検査装置。
【請求項２】
請求項１に記載の歯周疾患検査装置において、
前記画像処理装置は、毛細血管を流れる血液の流速を測定する機能をさらに有することを特徴とする歯周疾患検査装置。
【請求項３】
請求項１又は２に記載の歯周疾患検査装置において、
前記画像処理装置は、歯肉における炎症の程度を評価する機能をさらに有することを特徴とする歯周疾患検査装置。
【請求項４】
請求項１〜３のいずれかに記載の歯周疾患検査装置において、
前記画像処理装置による評価結果に基づいて歯周疾患の程度を判定する判定装置をさらに備えることを特徴とする歯周疾患検査装置。
【請求項５】
請求項１〜４のいずれかに記載の歯周疾患検査装置において、
前記画像処理装置は、検査対象部位における予備撮影結果に基づいて本撮影領域を決定する機能を有し、
前記口腔内カメラは、前記画像処理装置により決定された本撮影領域を撮影する機能を有することを特徴とする歯周疾患検査装置。
【請求項６】
請求項１〜５のいずれかに記載の歯周疾患検査装置において、
口腔内における適切な位置に前記口腔内カメラを固定するための固定手段をさらに備えることを特徴とする歯周疾患検査装置。
【請求項７】
請求項６に記載の歯周疾患検査装置において、
前記固定手段は、前記口腔内カメラの先端部に取り付けて用いる使い捨てタイプの筒状スペーサであることを特徴とする歯周疾患検査装置。
【請求項８】
請求項６又は７に記載の歯周疾患検査装置において、
前記撮像装置による撮影領域を微動可能な撮影領域微動装置をさらに備えることを特徴とする歯周疾患検査装置。
【請求項９】
請求項１〜８のいずれかに記載の歯周疾患検査装置において、
前記照明装置は、特にヘモグロビンを浮かび上がらせる波長の照明光で検査対象部位を照明する機能を有することを特徴とする歯周疾患検査装置。
【請求項１０】
請求項１〜９のいずれかに記載の歯周疾患検査装置において、
前記歯周疾患検査装置は、ｐ偏光及びｓ偏光のうち一方の偏光を通過させる偏光フィルタをさらに備え、
前記照明装置は、ｐ偏光及びｓ偏光のうち他方の偏光を用いて前記検査対象部位を照明する機能を有し、
前記撮像装置は、前記偏光フィルタを介して毛細血管を撮影する機能を有することを特徴とする歯周疾患検査装置。
【請求項１１】
請求項１〜１０のいずれかに記載の歯周疾患検査装置において、
前記歯周疾患検査装置は、所定の第１波長域の光を通過させず、前記第１波長域よりも長波長側にある所定の第２波長域の光を通過させるカラーフィルタをさらに備え、
前記照明装置は、前記第１波長域に発光ピークを有する励起光を用いて前記検査対象部位を照明する機能を有し、
前記撮像装置は、前記カラーフィルタを介して毛細血管を撮影する機能を有することを特徴とする歯周疾患検査装置。
【請求項１２】
請求項１〜１１のいずれかに記載の歯周疾患検査装置において、
前記歯周疾患検査装置は、所定の第１期間光を通過させず、前記第１期間の後の所定の第２期間光を通過させる光シャッタをさらに備え、
前記照明装置は、前記第１期間内に発光する励起光を用いて前記検査対象部位を照明する機能を有し、
前記撮像装置は、前記光シャッタを介して毛細血管を撮影する機能を有することを特徴とする歯周疾患検査装置。
【発明の詳細な説明】
【技術分野】
【０００１】
本発明は、歯周疾患検査装置に関する。
【背景技術】
【０００２】
歯肉炎、歯周炎、歯周病などの歯周疾患を検査する方法としては、金属製のプローブを歯ぐきに挿入し、歯ぐきの中の状態を調べる歯周ポケット検査方法、調べたい歯をピンセットではさんで動かし、そのときの歯の動く状態によって歯周疾患の進行度を調べる歯の動揺度検査方法、及び調べたい部位の口腔内Ｘ線写真を撮影することによるＸ線写真検査方法がある。【０００３】
しかしながら、歯周ポケット検査方法や歯の動揺度検査方法は、プローブを歯ぐきに挿入したり、歯を動揺させたりするため、患者に苦痛を与えてしまうという問題がある。一方、Ｘ線写真検査方法は、Ｘ線写真を撮影するための特別の設備が必要となるという問題がある。【０００４】
そこで、これらの問題を解決することが可能な歯周疾患検査装置が提案されている（例えば、特許文献１〜５参照。）。【０００５】
図７は、特許文献１に記載された従来の歯周疾患検査装置５００を説明するために示す図である。図７（ａ）は従来の歯周疾患検査装置５００の全体構成を示す図であり、図７（ｂ）は従来の歯周疾患検査装置５００を用いて歯周疾患を検査している様子を示す図である。【０００６】
従来の歯周疾患検査装置５００は、図７に示すように、投光用光ファイバ５１３及び受光用光ファイバ５１９を内部に備える金属性のプローブ５２５を歯周ポケット５０８に挿入して光学的に歯周ポケット５０８の深さを測定することにより、歯周疾患を検査するという歯周疾患検査装置である。このため、従来の歯周疾患検査装置５００によれば、プローブを歯ぐきに挿入する必要がなくなるため、患者に苦痛を与えてしまうという問題を軽減することができる。また、従来の歯周疾患検査装置５００によれば、Ｘ線写真を撮影するための特別の設備が必要となるという問題はなくなる。【０００７】
図８は、特許文献２に記載された従来の歯周疾患検査装置６００を説明するために示す図である。図８（ａ）は従来の歯周疾患検査装置６００の全体構成を示す図であり、図８（ｂ）及び図８（ｃ）は従来の歯周疾患検査装置６００を用いて歯周疾患を検査している様子を示す図である。【０００８】
従来の歯周疾患検査装置６００は、図８に示すように、歯肉表面に例えばｐ偏光からなる照明光Ｌ１（ｐ）を入射させ、その反射光のうち表面反射光Ｌ２（ｐ）（専らｐ偏光成分を有する。）及び内部反射光Ｌ３（ｐ／ｓ）（ｐ偏光成分Ｌ３（ｐ）及びｓ偏光成分Ｌ３（ｓ）を有する。）の受光強度に基づいて得られる表面反射光画像及び内部反射光画像から表面凹凸等の質感情報及び色調情報を得ることにより、歯周疾患を検査するという歯周疾患検査装置である。このため、従来の歯周疾患検査装置６００によれば、プローブを歯ぐきに挿入する必要がなくなるため、患者に苦痛を与えてしまうという問題を抑制することができる。また、従来の歯周疾患検査装置６００によれば、Ｘ線写真を撮影するための特別の設備が必要となるという問題はなくなる。【０００９】
図９は、特許文献３に記載された従来の歯周疾患検査装置７００を説明するために示す図である。図９（ａ）は従来の歯周疾患検査装置７００の全体構成を示す図であり、図９（ｂ）〜図９（ｅ）は従来の歯周疾患検査装置７００の使用方法を示す図である。このうち、図９（ｂ）は検査対象部位に水又はエアを噴射して唾液を除去する様子を示す図であり、図９（ｃ）は検査対象部位に光吸収物質としてのイカスミ７６１を塗布している様子を示す図であり、図９（ｄ）は検査対象部位をＣＣＤカメラで撮影して得られる画像を示す図であり、図９（ｅ）は図９（ｄ）の画像を２値化して得られる画像を示す図である。【００１０】
従来の歯周疾患検査装置７００は、図９に示すように、歯周疾患盲嚢７５０だけにイカスミ７６１が残留するように調整された検査対象部位（図９（ｂ）及び図９（ｃ）参照。）について、当該検査対象部位の光透過状態を測定することにより、歯周疾患を検査するという歯周疾患検査装置である。このため、従来の歯周疾患検査装置７００によれば、プローブを歯ぐきに挿入する必要がなくなるため、患者に苦痛を与えてしまうという問題を抑制することができる。また、従来の歯周疾患検査装置７００によれば、Ｘ線写真を撮影するための特別の設備が必要となるという問題はなくなる。【００１１】
図１０は、特許文献４に記載された従来の歯周疾患検査装置８００を説明するために示す図である。【００１２】
従来の歯周疾患検査装置８００は、図１０に示すように、被験歯周組織８０２からの輻射赤外線を赤外線カメラ８０１で測定することにより、歯周疾患を検査するという歯周疾患検査装置である。このため、従来の歯周疾患検査装置８００によれば、プローブを歯ぐきに挿入する必要がなくなるため、患者に苦痛を与えてしまうという問題を抑制することができる。また、従来の歯周疾患検査装置８００によれば、Ｘ線写真を撮影するための特別の設備が必要となるという問題はなくなる。【００１３】
特許文献５に記載された従来の歯周疾患検査装置９００（図示せず。）は、歯肉部に３２０ｎｍ〜６７０ｎｍの光を照射し、歯周ポケット内の歯牙、歯垢又は歯石からの励起光を観察して、歯周ポケット内における歯垢や歯石の有無及び歯周ポケットの深さを評価することにより、歯周疾患を検査するという歯周疾患検査装置である。このため、従来の歯周疾患検査装置９００によれば、プローブを歯ぐきに挿入する必要がなくなるため、患者に苦痛を与えてしまうという問題を抑制することができる。また、従来の歯周疾患検査装置９００によれば、Ｘ線写真を撮影するための特別の設備が必要となるという問題はなくなる。【００１４】
【特許文献１】特開２０００−１４６８４号公報
【特許文献２】特開２００１−８７２２３号公報
【特許文献３】特開平９−２７６２９８号公報
【特許文献４】特開２０００−１６６９５０号公報
【特許文献５】特開２００６−６３７３号公報
【発明の開示】
【発明が解決しようとする課題】
【００１５】
しかしながら、従来の歯周疾患検査装置５００においては、歯周ポケットにプローブ５２５を挿入するためには、歯肉を押し広げてプローブ５２５を挿入する必要があり、やはり患者に苦痛を与えてしまうという問題がある。【００１６】
また、従来の歯周疾患検査装置６００においては、歯周の色調は個人差が大きく、観察される色調が正常か否かを決定することが困難であるため、定量性、客観性の高い検査結果を得ることが困難であるという問題がある。【００１７】
また、従来の歯周疾患検査装置７００においては、塗布する光吸収物質の量を正確に制御することが困難であるため、やはり定量性、客観性の高い検査結果を得ることが困難であるという問題がある。【００１８】
また、従来の歯周疾患検査装置８００においては、健全な歯周部分と歯周疾患のある歯周部分との温度差よりも被験者間における温度差や環境が変わったときの温度差の方が大きいため、やはり定量性、客観性の高い検査結果を得ることが困難であるという問題がある。【００１９】
また、従来の歯周疾患検査装置９００においては、歯周ポケット内に歯垢や歯石が存在することを前提として歯周ポケットの深さを評価することとしているため、歯垢や歯石が無い場合には歯周ポケットの深さを評価することができず、やはり定量性、客観性の高い検査結果を得ることが困難であるという問題がある。【００２０】
そこで、本発明は、このような問題を解決するためになされたもので、患者に苦痛を与えることがなく、かつ、定量性、客観性の高い検査結果を得ることが可能な歯周疾患検査装置を提供することを目的とする。
【課題を解決するための手段】
【００２１】
（１）本発明の歯周疾患検査装置は、口腔内における検査対象部位を照明する照明装置及び前記照明装置によって照明した検査対象部位に含まれる毛細血管を拡大して撮影する撮像装置を備える口腔内カメラと、前記撮像装置から得られる撮影画像に基づいて、毛細血管の状態を評価する機能を有する画像処理装置とを備えることを特徴とする。【００２２】
本発明の歯周疾患検査装置においては、「毛細血管の状態」には、「毛細血管の拡張の程度」、「毛細血管の透過性亢進の程度」、「毛細血管からの出血の程度」、「毛細血管から出血した血液の凝固の程度」などが含まれる。【００２３】
このため、本発明の歯周疾患検査装置によれば、「毛細血管の状態」として、「毛細血管の拡張の程度」、「毛細血管の透過性亢進の程度」、「毛細血管からの出血の程度」、「毛細血管から出血した血液の凝固の程度」などを単独で又は組み合わせて評価することにより、歯周疾患の状態（歯周疾患の有無、歯周疾患の進行状態など。）について、定量性、客観性の高い検査結果を得ることが可能となる。【００２４】
「毛細血管の拡張の程度」としては、「毛細血管の内径、外径、肉厚（壁厚）が正常範囲にあるかどうか」、「毛細血管の内径、外径、肉厚（壁厚）の値はどのくらいか」、「毛細血管の表面が滑らかか否か」、「毛細血管の表面が滑らかでない場合にはどのくらい滑らかでないか」などを評価する。また、「毛細血管の透過性亢進の程度」としては、「毛細血管に孔が開いていて毛細血管の透過性の亢進が見られるか否か」、「毛細血管の透過性の亢進が見られる場合にはどのくらい透過性の亢進が見られるか」などを評価する。また、「毛細血管からの出血の程度」としては、「毛細血管からの出血が見られるか否か」、「毛細血管からの出血が見られる場合にはどのくらい出血が見られるか」などを評価する。「毛細血管から出血した血液の凝固の程度」としては、「毛細血管から出血した血液の凝固が見られるか否か」、「毛細血管から出血した血液の凝固が見られる場合にはどのくらい凝固が見られるか」などを評価する。【００２５】
これによって、例えば、毛細血管の内径、外径、肉厚（壁厚）が正常範囲にあり、毛細血管の表面が滑らかである場合には、「歯周疾患がない」と評価し、毛細血管の内径、外径、肉厚（壁厚）が正常範囲よりも大きく、毛細血管の表面が滑らかでない場合には、その程度により「軽度の歯周疾患がある」、「中程度の歯周疾患がある」又は「重度の歯周疾患がある」などと評価する。また、例えば、毛細血管の透過性亢進が見られない場合には、「歯周疾患がない」と評価し、毛細血管の透過性亢進が見られる場合には、その程度により「軽度の歯周疾患がある」、「中程度の歯周疾患がある」又は「重度の歯周疾患がある」などと評価する。また、例えば、毛細血管からの出血が見られない場合には、「歯周疾患がない」又は「軽度の歯周疾患がある」などと評価し、毛細血管からの出血が見られる場合には、その程度により、「中程度の歯周疾患がある」又は「重度の歯周疾患がある」などと評価する。また、例えば、毛細血管から出血した血液の凝固が見られない場合には、「歯周疾患がない」又は「軽度の歯周疾患がある」などと評価し、毛細血管から出血した血液の凝固が見られる場合には、その程度により、「中程度の歯周疾患がある」又は「重度の歯周疾患がある」などと評価する。【００２６】
なお、画像処理装置による毛細血管の状態の評価は、例えば、多数の患者についての撮影結果を解析して予め評価基準を定めておき、この評価基準を用いて行うのが好ましい。【００２７】
また、本発明の歯周疾患検査装置によれば、毛細血管の状態を光学的に測定することで歯周疾患を検査することが可能となるため、プローブを歯ぐきや歯周ポケットに挿入する必要がなくなり、患者に苦痛を与えてしまうという問題を抑制することができる。【００２８】
このため、本発明の歯周疾患検査装置は、患者に苦痛を与えることがなく、かつ、定量性、客観性の高い検査結果を得ることが可能な歯周疾患検査装置となる。【００２９】
本発明の歯周疾患検査装置においては、前記検査対象部位としては、歯茎や歯間乳頭部が好ましい。【００３０】
本発明の歯周疾患検査装置においては、前記撮像装置は、撮像素子と、検査対象部位における毛細血管の像を拡大して前記撮像素子に導く光学系とを備えることが好ましい。【００３１】
このように構成することにより、解像度を低下させることなく毛細血管を十分に拡大して撮影することが可能となる。【００３２】
本発明の歯周疾患検査装置においては、前記照明装置は、歯茎や歯間乳頭部の内部に到達する波長の光を照射する機能を有することが好ましい。また、前記光学系は、歯茎や歯間乳頭部の内部に存在する毛細血管にピントを合わせる機能を有することが好ましい。【００３３】
このように構成することにより、歯茎や歯間乳頭部の内部に存在する毛細血管をピントの合った状態で撮影することが可能となる。【００３４】
本発明の歯周疾患検査装置においては、前記光学系は、オートフォーカス機能を有することが好ましい。【００３５】
このように構成することにより、毛細血管を常にピントの合った状態で撮影することが可能となる。【００３６】
本発明の歯周疾患検査装置においては、前記光学系は、手振れ防止機能を有することが好ましい。【００３７】
このように構成することにより、毛細血管を常に手振れが防止された状態で撮影することが可能となる。【００３８】
本発明の歯周疾患検査装置においては、前記光学系は、ズーム機能を有することが好ましい。【００３９】
このように構成することにより、毛細血管を様々な倍率で撮影することで、毛細血管の状態を多面的に評価することが可能となる。【００４０】
本発明の歯周疾患検査装置においては、前記光学系は、対物レンズと検査対象部位との距離を変化させる機能を有することが好ましい。【００４１】
このように構成することにより、口腔内カメラを動かすことなく検査対象部位までの距離を変化させることで、様々な距離から毛細血管を撮影することが可能となる。【００４２】
（２）本発明の歯周疾患検査装置においては、前記画像処理装置は、毛細血管を流れる血液の流速を測定する機能をさらに有することが好ましい。【００４３】
このように構成することにより、血液の流動性（言い換えると血液のサラサラ度）を判定することで、他の病気（例えば、糖尿病、生活習慣病など。）との関連性を考慮することが可能となり、歯周疾患についてさらに定量性、客観性の高い検査結果を得ることが可能となる。【００４４】
（３）本発明の歯周疾患検査装置においては、前記画像処理装置は、歯肉における炎症の程度を評価する機能をさらに有することが好ましい。【００４５】
このように構成することにより、歯肉における炎症の程度を評価することで、歯周疾患についてさらに定量性、客観性の高い検査結果を得ることが可能となる。【００４６】
（４）本発明の歯周疾患検査装置においては、前記画像処理装置による評価結果に基づいて歯周疾患の程度を判定する判定装置をさらに備えることが好ましい。【００４７】
このように構成することにより、評価よりも一歩踏み込んだ判定が可能となるため、さらに定量性、客観性の高い検査結果を得ることが可能となる。また、判定装置による機械的な判定が可能となるため、迅速に検査結果を得ることが可能となる。このため、本発明の歯周疾患検査装置は、集団検診に用いる歯周疾患検査装置として最適な歯周疾患検査装置となる。【００４８】
なお、画像処理装置による評価結果から歯周疾患の程度を判定するのは、例えば、多数の患者についての検査結果を解析して構築されるエクスパートシステムを用いて行うのが好ましい。【００４９】
（５）本発明の歯周疾患検査装置においては、前記画像処理装置は、検査対象部位における予備撮影結果に基づいて本撮影領域を決定する機能を有し、前記口腔内カメラは、前記画像処理装置により決定された本撮影領域を撮影する機能を有することが好ましい。【００５０】
このように構成することにより、まず粗く予備撮影を行って、その予備撮影結果に基づいて口腔内における本撮影領域を決定することで、本撮影領域を迅速に撮影することが可能となり、迅速に検査結果を得ることが可能となる。【００５１】
（６）本発明の歯周疾患検査装置においては、口腔内における適切な位置に前記口腔内カメラを固定するための固定手段をさらに備えることが好ましい。【００５２】
このように構成することにより、高品質な撮影画像（特に動画の場合。）を得ることが可能となり、さらに定量性、客観性の高い検査結果を得ることが可能となる。【００５３】
（７）本発明の歯周疾患検査装置においては、前記固定手段は、前記口腔内カメラの先端部に取り付けて用いる使い捨てタイプの筒状スペーサであることが好ましい。【００５４】
このように構成することにより、使い捨てタイプの筒状スペーサを口腔内カメラの先端部に取り付けた状態で、口腔内における適切な位置に口腔内カメラを押し付けることにより、口腔内における適切な位置に口腔内カメラを固定することが可能となる。
また、患者毎に使い捨てタイプの筒状スペーサを取り換えることで、衛生的な歯周疾患検査を行うことが可能となる。【００５５】
（８）本発明の歯周疾患検査装置においては、前記撮像装置による撮影領域を微動可能な撮影領域微動装置をさらに備えることが好ましい。【００５６】
このように構成することにより、最適な撮影範囲を精密に決定することが可能となるため、さらに定量性、客観性の高い検査結果を得ることが可能となる。【００５７】
この場合、口腔内カメラを動かすことにより撮影領域を動かしてもよいし、口腔内カメラは固定しておいて、光学系を動かすことにより撮影領域を動かしてもよい。【００５８】
（９）本発明の歯周疾患検査装置においては、前記照明装置は、特にヘモグロビンを浮かび上がらせる波長の照明光で検査対象部位を照明する機能を有することが好ましい。【００５９】
このように構成することにより、歯茎や歯間乳頭部の内部に存在する毛細血管を高いコントラストで撮影することが可能となる。また、この場合には、毛細血管を流れる血液の流速を特に精度よく測定することが可能となる。【００６０】
（１０）本発明の歯周疾患検査装置においては、前記歯周疾患検査装置は、ｐ偏光及びｓ偏光のうち一方の偏光を通過させる偏光フィルタをさらに備え、前記照明装置は、ｐ偏光及びｓ偏光のうち他方の偏光を用いて前記検査対象部位を照明する機能を有し、前記撮像装置は、前記偏光フィルタを介して毛細血管を撮影する機能を有することが好ましい。【００６１】
照明装置からの照明光（他方の偏光）が検査対象部位（例えば歯茎や歯間乳頭部）の表面で反射される場合には、光の偏光面が保持されるため、そのようにして反射される光（表面反射光）は、偏光フィルタを通過することができない。一方、照明光（他方の偏光）が検査対象部位の内部で反射される場合には、光の偏光面が完全には保持されないため、そのようにして反射される光（内部反射光）の一部（一方の偏光）は、偏光フィルタを通過することができるようになる。このため、上記のように構成することにより、検査対象部位の表面で反射される光の影響を排除することが可能となり、検査対象部位の内部に存在する毛細血管を高いコントラストで撮影することが可能となる。【００６２】
（１１）本発明の歯周疾患検査装置においては、前記歯周疾患検査装置は、所定の第１波長域の光を通過させず、前記第１波長域よりも長波長側にある所定の第２波長域の光を通過させるカラーフィルタをさらに備え、前記照明装置は、前記第１波長域に発光ピークを有する励起光を用いて前記検査対象部位を照明する機能を有し、前記撮像装置は、前記カラーフィルタを介して毛細血管を撮影する機能を有することが好ましい。【００６３】
照明装置からの照明光（励起光）が検査対象部位の表面で反射される場合には、光の波長変化を伴わないため、そのようにして反射される光（表面反射光）は、カラーフィルタを通過することができない。一方、照明光（励起光）が検査対象部位の表面を通過して内部まで到達した場合には、照明光よりも長い波長を有する蛍光が発生する。その結果、当該蛍光（全部又は一部）は、第２波長域内の波長を有するようになり、カラーフィルタを通過することができるようになる。このため、当該蛍光を検出光として利用することとすれば、上記のように構成することによっても、検査対象部位の表面で反射される光の影響を排除することが可能となり、検査対象部位の内部に存在する毛細血管を高いコントラストで撮影することが可能となる。【００６４】
（１２）本発明の歯周疾患検査装置においては、前記歯周疾患検査装置は、所定の第１期間光を通過させず、前記第１期間の後の所定の第２期間光を通過させる光シャッタをさらに備え、前記照明装置は、前記第１期間内に発光する励起光を用いて前記検査対象部位を照明する機能を有し、前記撮像装置は、前記光シャッタを介して毛細血管を撮影する機能を有することが好ましい。【００６５】
照明装置からの照明光（励起光）が検査対象部位の表面で反射される場合には、そのようにして反射される光（表面反射光）は、時間遅れなく第１期間内に光シャッタに到達するため、光シャッタを通過することができない。一方、照明光（励起光）が検査対象部位の表面を通過して検査対象部位の内部まで到達した場合には、検査対象部位の内部で若干の時間遅れをもって蛍光が発生する。その結果、当該蛍光（全部又は一部）は第２期間内に光シャッタに到達して、光シャッタを通過することができるようになる。このため、当該蛍光を検出光として利用することとすれば、上記のように構成することによっても、検査対象部位の表面で反射される光の影響を排除することが可能となり、検査対象部位の内部に存在する毛細血管を高いコントラストで撮影することが可能となる。【００６６】
なお、本発明の歯周疾患検査装置においては、画像モニタをさらに備えることが好ましい。【００６７】
このように構成することにより、撮影画像を表示する場合には、撮影箇所の確認や決定を容易に行うことができ、評価結果や判定結果を表示する場合には、評価結果や判定結果の確認を容易に行うことができる。【００６８】
また、本発明の歯周疾患検査装置においては、印刷装置をさらに備えることが好ましい。【００６９】
このように構成することにより、撮影画像、評価結果、判定結果などをすぐに印刷することで、患者に対して迅速で適切なフィードバックを行うことが可能となる。また、集団検診に用いた場合にも適切な結果出力が可能となる。
【図面の簡単な説明】
【００７０】
【図１】実施形態１に係る歯周疾患検査装置１００を説明するために示す図である。
【図２】実施形態１に係る歯周疾患検査装置１００を用いて歯周疾患を検査している様子を示す図である。
【図３】実施形態２に係る歯周疾患検査装置１００ａを説明するために示す図である。
【図４】実施形態３に係る歯周疾患検査装置１００ｂを説明するために示す図である。
【図５】実施形態４に係る歯周疾患検査装置１００ｃを説明するために示す図である。
【図６】実施形態５に係る歯周疾患検査装置１００ｄを説明するために示す図である。
【図７】従来の歯周疾患検査装置５００を説明するために示す図である。
【図８】従来の歯周疾患検査装置６００を説明するために示す図である。
【図９】従来の歯周疾患検査装置７００を説明するために示す図である。
【図１０】従来の歯周疾患検査装置８００を説明するために示す図である。
【発明を実施するための最良の形態】
【００７１】
以下、本発明の歯周疾患検査装置について、図に示す実施の形態に基づいて説明する。【００７２】
〔実施形態１〕
図１は、実施形態１に係る歯周疾患検査装置１００を説明するために示す図である。図１（ａ）は歯周疾患検査装置１００の全体構成図であり、図１（ｂ）は歯周疾患検査装置１００における口腔内カメラ１１０の構成を示す図であり、図１（ｃ）は口腔内カメラ１１０におけるヘッド部１１６を正面から見た図である。
図２は、実施形態１に係る歯周疾患検査装置１００を用いて歯周疾患を検査している様子を示す図である。図２（ａ）は歯周疾患が見られない場合における図であり、図２（ｂ）は歯周疾患が進行している場合における図である。【００７３】
実施形態１に係る歯周疾患検査装置１００は、図１（ａ）に示すように、口腔内カメラ１１０と、装置本体１４０と、画像モニタ１５０と、印刷装置１６０とを備える。口腔内カメラ１１０と装置本体１４０とは、接続コード１３０で接続されており、装置本体１４０と印刷装置１６０とは、接続コード１３２で接続されている。【００７４】
口腔内カメラ１１０は、図１（ｂ）及び図１（ｃ）に示すように、口腔内における検査対象部位Ｒ（図２参照。）を照明する照明装置１２６と、照明装置１２６によって照明した検査対象部位Ｒに含まれる毛細血管を拡大して撮影する撮像装置１１８と、手持ち部１１２と、アーム部１１４と、ヘッド部１１６とを備える。【００７５】
照明装置１２６は、ヘッド部１１６の前面における周囲部分に配設された複数のＬＥＤからなる。照明装置１２６は、歯茎や歯間乳頭部の内部に到達する波長の光を照射する機能を有する。また、照明装置１２６は、特にヘモグロビンを浮かび上がらせる波長の照明光で検査対象部位Ｒを照明する機能を有する。【００７６】
撮像装置１１８は、撮像素子１２２と、光学系１２０と、増幅部１２４とを備える。光学系１２０は、検査対象部位Ｒにおける毛細血管の像を拡大して撮像素子１２２に導く機能を有する。増幅部１２４は、撮像素子１２２からのアナログ信号を増幅するとともにＤ／Ａ変換する機能を有する。照明装置１２６の照明動作及び撮像装置１１８の撮像動作は、制御部１２８によって制御される。【００７７】
光学系１２０は、歯茎や歯間乳頭部の内部に存在する毛細血管にピントを合わせる機能を有する。光学系１２０は、オートフォーカス機能、手振れ防止機能及びズーム機能を有する。【００７８】
装置本体１４０は、画像処理装置１４２（図示せず。）と、判定装置１４４（図示せず。）とを備える。【００７９】
画像処理装置１４２は、撮像装置１１８から得られる撮影画像に基づいて、毛細血管の状態を評価する機能、毛細血管を流れる血液の流速を測定する機能、及び歯肉における炎症の程度を評価する機能を有する。画像処理装置１４２による毛細血管の状態の評価は、例えば、多数の患者についての撮影結果を解析して予め評価基準を定めておき、この評価基準を用いて行う。【００８０】
また、画像処理装置１４２は、検査対象部位Ｒにおける予備撮影結果に基づいて本撮影領域を決定する機能を有し、口腔内カメラ１１０は、画像処理装置１４２により決定された本撮影領域を撮影する機能を有する。【００８１】
判定装置１４４は、画像処理装置１４２による評価結果に基づいて歯周疾患の程度を判定する機能を有する。判定装置１４４における歯周疾患の程度の判定は、例えば、多数の患者についての検査結果を解析して構築されるエクスパートシステムを用いて行う。【００８２】
実施形態１に係る歯周疾患検査装置１００においては、「毛細血管の状態」には、「毛細血管の拡張の程度」、「毛細血管の透過性亢進の程度」、「毛細血管からの出血の程度」及び「毛細血管から出血した血液の凝固の程度」などが含まれる。【００８３】
以上のように構成された実施形態１に係る歯周疾患検査装置１００によれば、「毛細血管の状態」として、「毛細血管の拡張の程度」、「毛細血管の透過性亢進の程度」、「毛細血管からの出血の程度」、「毛細血管から出血した血液の凝固の程度」などを単独で又は組み合わせて評価することにより、歯周疾患の状態（歯周疾患の有無、歯周疾患の進行状態など。）について、定量性、客観性の高い検査結果を得ることが可能となる。【００８４】
「毛細血管の拡張の程度」としては、「毛細血管の内径、外径、肉厚（壁厚）が正常範囲にあるかどうか」、「毛細血管の内径、外径、肉厚（壁厚）の値はどのくらいか」、「毛細血管の表面が滑らかか否か」、「毛細血管の表面が滑らかでない場合にはどのくらい滑らかでないか」などを評価する。また、「毛細血管の透過性亢進の程度」としては、「毛細血管に孔が開いていて毛細血管の透過性の亢進が見られるか否か」、「毛細血管の透過性の亢進が見られる場合にはどのくらい透過性の亢進が見られるか」などを評価する。また、「毛細血管からの出血の程度」としては、「毛細血管からの出血が見られるか否か」、「毛細血管からの出血が見られる場合にはどのくらい出血が見られるか」などを評価する。「毛細血管から出血した血液の凝固の程度」としては、「毛細血管から出血した血液の凝固が見られるか否か」、「毛細血管から出血した血液の凝固が見られる場合にはどのくらい凝固が見られるか」などを評価する。【００８５】
これによって、例えば、毛細血管の内径、外径、肉厚（壁厚）が正常範囲にあり、毛細血管の表面が滑らかである場合には、「歯周疾患がない」と評価し、毛細血管の内径、外径、肉厚（壁厚）が正常範囲よりも大きく、毛細血管の表面が滑らかでない場合には、その程度により「軽度の歯周疾患がある」、「中程度の歯周疾患がある」又は「重度の歯周疾患がある」などと評価する。また、例えば、毛細血管の透過性亢進が見られない場合には、「歯周疾患がない」と評価し、毛細血管の透過性亢進が見られる場合には、その程度により「軽度の歯周疾患がある」、「中程度の歯周疾患がある」又は「重度の歯周疾患がある」などと評価する。また、例えば、毛細血管からの出血が見られない場合には、「歯周疾患がない」又は「軽度の歯周疾患がある」などと評価し、毛細血管からの出血が見られる場合には、その程度により、「中程度の歯周疾患がある」又は「重度の歯周疾患がある」などと評価する。また、例えば、毛細血管から出血した血液の凝固が見られない場合には、「歯周疾患がない」又は「軽度の歯周疾患がある」などと評価し、毛細血管から出血した血液の凝固が見られる場合には、その程度により、「中程度の歯周疾患がある」又は「重度の歯周疾患がある」などと評価する。【００８６】
また、実施形態１に係る歯周疾患検査装置１００によれば、毛細血管の状態を光学的に測定することで歯周疾患を検査することが可能となるため、プローブを歯ぐきや歯周ポケットに挿入する必要がなくなり、患者に苦痛を与えてしまうという問題を抑制することができる。【００８７】
このため、実施形態１に係る歯周疾患検査装置１００は、患者に苦痛を与えることがなく、かつ、定量性、客観性の高い検査結果を得ることが可能な歯周疾患検査装置となる。【００８８】
また、実施形態１に係る歯周疾患検査装置１００によれば、撮像装置１１８は、撮像素子１２２と、検査対象部位Ｒにおける毛細血管の像を拡大して撮像素子１２２に導く光学系１２０とを備えるため、解像度を低下させることなく毛細血管を十分に拡大して撮影することが可能となる。【００８９】
また、実施形態１に係る歯周疾患検査装置１００によれば、照明装置１２６は、歯茎や歯間乳頭部の内部に到達する波長の光を照射する機能を有し、光学系１２０は、歯茎や歯間乳頭部の内部に存在する毛細血管にピントを合わせる機能を有するため、歯茎や歯間乳頭部の内部に存在する毛細血管をピントの合った状態で撮影することが可能となる。【００９０】
また、実施形態１に係る歯周疾患検査装置１００によれば、光学系１２０は、オートフォーカス機能を有するため、毛細血管を常にピントの合った状態で撮影することが可能となる。【００９１】
また、実施形態１に係る歯周疾患検査装置１００によれば、光学系１２０は、手振れ防止機能を有するため、毛細血管を常に手振れの防止された状態で撮影することが可能となる。【００９２】
また、実施形態１に係る歯周疾患検査装置１００によれば、光学系１２０は、ズーム機能を有するため、毛細血管を様々な倍率で撮影することで、毛細血管の状態を多面的に評価することが可能となる。【００９３】
実施形態１に係る歯周疾患検査装置１００によれば、画像処理装置１４２は、毛細血管を流れる血液の流速を測定する機能をさらに有するため、血液の流動性（言い換えると血液のサラサラ度）を判定して他の病気（例えば、糖尿病、生活習慣病など。）との関連性を考慮することが可能となるため、歯周疾患についてさらに定量性、客観性の高い検査結果を得ることが可能となる。【００９４】
実施形態１に係る歯周疾患検査装置１００によれば、画像処理装置１４２は、歯肉における炎症の程度を評価する機能をさらに有するため、歯肉における炎症の程度を評価することで、歯周疾患についてさらに定量性、客観性の高い検査結果を得ることが可能となる。【００９５】
実施形態１に係る歯周疾患検査装置１００によれば、照明装置１２６は、特にヘモグロビンを浮かび上がらせる波長の照明光で検査対象部位Ｒを照明する機能を有するため、歯茎や歯間乳頭部の内部に存在する毛細血管を高いコントラストで撮影することが可能となる。また、毛細血管を流れる血液の流速を精度よく測定することが可能となる。【００９６】
また、実施形態１に係る歯周疾患検査装置１００によれば、画像処理装置１４２による評価結果に基づいて歯周疾患の程度を判定する判定装置１４４をさらに備えるため、評価よりも一歩踏み込んだ判定が可能となり、さらに定量性、客観性の高い検査結果を得ることが可能となる。また、判定装置１４４による機械的な判定が可能となるため、迅速に検査結果を得ることが可能となる。このため、実施形態１に係る歯周疾患検査装置１００は、集団検診に用いる歯周疾患検査装置として最適な歯周疾患検査装置となる。【００９７】
実施形態１に係る歯周疾患検査装置１００によれば、画像処理装置１４２は、検査対象部位Ｒにおける予備撮影結果に基づいて本撮影領域を決定する機能を有し、口腔内カメラ１１０は、画像処理装置１４２により決定された本撮影領域を撮影する機能を有するため、まず粗く予備撮影を行って、その予備撮影結果に基づいて口腔内における本撮影領域を決定することで、本撮影領域を迅速に撮影することが可能となり、迅速に検査結果を得ることが可能となる。【００９８】
実施形態１に係る歯周疾患検査装置１００によれば、画像モニタ１５０をさらに備えるため、撮影画像を表示する場合には、撮影箇所の確認や決定を容易に行うことができ、評価結果や判定結果を表示する場合には、評価結果や判定結果の確認を容易に行うことができる。【００９９】
実施形態１に係る歯周疾患検査装置１００によれば、印刷装置１６０をさらに備えるため、撮影結果、評価結果、判定結果などをすぐに印刷することで、患者に対して迅速で適切なフィードバックを行うことが可能となる。また、集団検診に用いた場合にも適切な結果出力が可能となる。【０１００】
〔実施形態２〕
図３は、実施形態２に係る歯周疾患検査装置１００ａを説明するために示す図である。図３（ａ）は歯周疾患検査装置１００ａを用いて歯周疾患を検査している様子を示す図であり、図３（ｂ）は表面反射光Ｌ２（ｐ）が偏光フィルタ１７０に到達する様子を示す図であり、図３（ｃ）は内部反射光Ｌ３（ｐ／ｓ）が偏光フィルタ１７０に到達する様子を示す図である。【０１０１】
実施形態２に係る歯周疾患検査装置１００ａ（図示せず。）は、基本的には実施形態１に係る歯周疾患検査装置１００と同様の構成を有するが、偏光フィルタ１７０を備える点並びに照明装置の機能及び撮像装置の機能が実施形態１に係る歯周疾患検査装置１００の場合と異なる。すなわち、実施形態２に係る歯周疾患検査装置１００ａは、図３に示すように、ｐ偏光及びｓ偏光のうちｓ偏光を通過させる偏光フィルタ１７０をさらに備える。また、照明装置として、ｐ偏光及びｓ偏光のうちｐ偏光を用いて検査対象部位Ｒを照明する機能を有する照明装置１２６ａを用いるとともに、撮像装置として、偏光フィルタ１７０を介して毛細血管を撮影する機能を有する撮像装置１１８ａ（図示せず。）を用いることとしている。【０１０２】
照明装置１２６ａからの照明光Ｌ１（ｐ）が検査対象部位Ｒの表面で反射される場合（図３（ｂ）参照。）には、光の偏光面が保持されるため、そのようにして反射される光（表面反射光Ｌ２）は、偏光フィルタ１７０を通過することができない。一方、照明光Ｌ１（ｐ）が検査対象部位Ｒの内部で反射される場合（図３（ｃ）参照。）には、光の偏光面が完全には保持されないため、そのようにして反射される光（内部反射光Ｌ３（ｐ／ｓ））の一部（ｓ偏光）は、偏光フィルタ１７０を通過することができるようになる。このため、実施形態２に係る歯周疾患検査装置１００ａによれば、当該ｓ偏光を検出光として利用することにより、検査対象部位Ｒの表面で反射される光の影響を排除することが可能となり、検査対象部位Ｒの内部に存在する毛細血管を高いコントラストで撮影することが可能となる。【０１０３】
なお、実施形態２に係る歯周疾患検査装置１００ａは、偏光フィルタ１７０を備える点並びに照明装置の機能及び撮像装置の機能以外の点では実施形態１に係る歯周疾患検査装置１００の場合と同じ構成を有するため、実施形態１に係る歯周疾患検査装置１００が有する効果のうち該当する効果を有する。【０１０４】
〔実施形態３〕
図４は、実施形態３に係る歯周疾患検査装置１００ｂを説明するために示す図である。図４（ａ）は歯周疾患検査装置１００ｂを用いて歯周疾患を検査している様子を示す図であり、図４（ｂ）は表面反射光Ｌ２がカラーーフィルタ１７２に到達する様子を示す図であり、図４（ｃ）は蛍光Ｌ４がカラーフィルタ１７２に到達する様子を示す図であり、図４（ｄ）は照明光Ｌ１及び蛍光Ｌ４の発光強度並びにカラーフィルタ１７２の光通過率Ｔ１を示す図である。【０１０５】
実施形態３に係る歯周疾患検査装置１００ｂ（図示せず。）は、基本的には実施形態１に係る歯周疾患検査装置１００と同様の構成を有するが、カラーフィルタ１７２を備える点並びに照明装置の機能及び撮像装置の機能が実施形態１に係る歯周疾患検査装置１００の場合と異なる。すなわち、実施形態３に係る歯周疾患検査装置１００ｂは、図４に示すように、所定の第１波長域の光を通過させず、第１波長域よりも長波長側にある所定の第２波長域の光を通過させるカラーフィルタ１７２をさらに備える。また、照明装置として、第１波長域に発光ピークを有する励起光を用いて検査対象部位Ｒを照明する機能を有する照明装置１２６ｂを用いるとともに、撮像装置として、カラーフィルタ１７２を介して毛細血管を撮影する機能を有する撮像装置１１８ｂ（図示せず。）を用いることとしている。【０１０６】
照明装置１２６ｂからの照明光Ｌ１（励起光）が検査対象部位Ｒの表面で反射される場合（図４（ｂ）参照。）には、光の波長変化を伴わないため、そのようにして反射される光（表面反射光Ｌ２）は、カラーフィルタ１７２を通過することができない。一方、照明光Ｌ１（励起光）が検査対象部位Ｒの表面を通過して内部まで到達した場合（図４（ｃ）参照。）には、照明光Ｌ１よりも長い波長を有する蛍光Ｌ４が発生する（図４（ｄ）参照。）。その結果、当該蛍光Ｌ４（全部又は一部）は、第２波長域内の波長を有するようになり、カラーフィルタ１７２を通過することができるようになる。このため、実施形態３に係る歯周疾患検査装置１００ｂによれば、当該蛍光Ｌ４を検出光として利用することにより、検査対象部位Ｒの表面で反射される光の影響を排除することが可能となり、検査対象部位Ｒの内部に存在する毛細血管を高いコントラストで撮影することが可能となる。【０１０７】
なお、実施形態３に係る歯周疾患検査装置１００ｂは、カラーフィルタ１７２を備える点並びに照明装置の機能及び撮像装置の機能以外の点では実施形態１に係る歯周疾患検査装置１００の場合と同じ構成を有するため、実施形態１に係る歯周疾患検査装置１００が有する効果のうち該当する効果を有する。【０１０８】
〔実施形態４〕
図５は、実施形態４に係る歯周疾患検査装置１００ｃを説明するために示す図である。図５（ａ）は歯周疾患検査装置１００ｃを用いて歯周疾患を検査している様子を示す図であり、図５（ｂ）は表面反射光Ｌ２が光シャッタ１７４に到達する様子を示す図であり、図５（ｃ）は蛍光Ｌ４が光シャッタ１７４に到達する様子を示す図であり、図５（ｄ）は照明光Ｌ１の発光強度及び蛍光Ｌ４の発光強度並びに光シャッタ１７４の光通過率Ｔ２を示す図である。【０１０９】
実施形態４に係る歯周疾患検査装置１００ｃ（図示せず。）は、基本的には実施形態１に係る歯周疾患検査装置１００と同様の構成を有するが、光シャッタ１７４を備える点並びに照明装置の機能及び撮像装置の機能が実施形態１に係る歯周疾患検査装置１００の場合と異なる。すなわち、実施形態４に係る歯周疾患検査装置１００ｃは、図５に示すように、所定の第１期間光を通過させず、第１期間の後の所定の第２期間光を通過させる光シャッタ１７４をさらに備える。また、照明装置として、第１期間内に発光する励起光を用いて検査対象部位Ｒを照明する機能を有する照明装置１２６ｃを用いるとともに、撮像装置として、光シャッタ１７４を介して毛細血管を撮影する機能を有する撮像装置１１８ｃ（図示せず。）を用いることとしている。【０１１０】
照明装置１２６ｃからの照明光Ｌ１（励起光）が検査対象部位Ｒの表面で反射される場合（図５（ｂ）参照。）には、そのようにして反射される光（表面反射光Ｌ２）は、時間遅れなく第１期間内に光シャッタ１７４に到達するため、光シャッタ１７４を通過することができない。一方、照明光Ｌ１（励起光）が検査対象部位Ｒの表面を通過して検査対象部位の内部まで到達した場合（図５（ｃ）参照。）には、検査対象部位Ｒの内部で若干の時間遅れをもって蛍光Ｌ４が発生する（図５（ｄ）参照。）。その結果、当該蛍光Ｌ４（全部又は一部）は第２期間内に光シャッタ１７４に到達して、光シャッタ１７４を通過することができるようになる。このため、実施形態４に係る歯周疾患検査装置１００ｃによれば、当該蛍光Ｌ４を検出光として利用することにより、検査対象部位Ｒの表面で反射される光の影響を排除することが可能となり、検査対象部位Ｒの内部に存在する毛細血管を高いコントラストで撮影することが可能となる。【０１１１】
なお、実施形態４に係る歯周疾患検査装置１００ｃは、光シャッタ１７４を備える点並びに照明装置の機能及び撮像装置の機能以外の点では実施形態１に係る歯周疾患検査装置１００の場合と同じ構成を有するため、実施形態１に係る歯周疾患検査装置１００が有する効果のうち該当する効果を有する。【０１１２】
〔実施形態５〕
図６は、実施形態５に係る歯周疾患検査装置１００ｄを説明するために示す図である。図６（ａ）は使い捨てタイプの筒状スペーサ１７６を取り付ける前の歯周疾患検査装置１００ｄの様子を示す図であり、図６（ｂ）は使い捨てタイプの筒状スペーサ１７６を取り付けた後の歯周疾患検査装置１００ｄの様子を示す図であり、図６（ｃ）は歯周疾患検査装置１００ｄを用いて歯周疾患を検査している様子を示す図である。【０１１３】
実施形態５に係る歯周疾患検査装置１００ｄ（図示せず。）は、基本的には実施形態１に係る歯周疾患検査装置１００と同様の構成を有するが、口腔内における適切な位置に口腔内カメラを固定するための固定手段をさらに備える点で実施形態１に係る歯周疾患検査装置１００の場合と異なる。そして、実施形態５に係る歯周疾患検査装置１００ｄにおいては、固定手段として、口腔内カメラ１１０ｄの先端部（ヘッド部１１６ｄ）に取り付けて用いる使い捨てタイプの筒状スペーサ１７６を備える。なお、符号１７８は、使い捨てタイプの筒状スペーサ１７６の内面に形成された位置調整用突起を示す。【０１１４】
このため、実施形態５に係る歯周疾患検査装置１００ｄによれば、高品質な撮影画像（特に動画の場合。）を得ることが可能となり、実施形態１に係る歯周疾患検査装置１００の場合と比較して、さらに定量性、客観性の高い検査結果を得ることが可能となる。また、口腔内カメラ１１０ｄの先端部（ヘッド部１１６ｄ）に使い捨てタイプの筒状スペーサ１７６を取り付けた状態で、口腔内における適切な位置に口腔内カメラ１１０ｄを押し付けることにより、口腔内における適切な位置に口腔内カメラ１１０ｄを固定することが可能となる。さらにまた、患者毎に使い捨てタイプの筒状スペーサ１７６を取り換えることで、衛生的な歯周疾患検査を行うことが可能となる。【０１１５】
なお、実施形態５に係る歯周疾患検査装置１００ｄは、口腔内における適切な位置に口腔内カメラを固定するための固定手段をさらに備える点以外の点では実施形態１に係る歯周疾患検査装置１００の場合と同じ構成を有するため、実施形態１に係る歯周疾患検査装置１００が有する効果のうち該当する効果を有する。【０１１６】
以上、本発明の歯周疾患検査装置を上記実施形態に基づいて説明したが、本発明は、これに限定されるものではなく、その要旨を逸脱しない範囲において実施することが可能であり、例えば、次のような変形も可能である。【０１１７】
（１）本発明の歯周疾患検査装置においては、光学系は、対物レンズと検査対象部位Ｒとの距離を変化させる機能を有してもよい。この場合には、口腔内カメラを動かすことなく検査対象部位Ｒまでの距離を変化させることで、様々な距離から毛細血管を撮影することが可能となる。【０１１８】
（２）本発明の歯周疾患検査装置においては、撮影領域を微動可能な撮影領域微動装置をさらに備えていてもよい。この場合には、最適な撮影範囲を精密に決定することが可能となるため、さらに定量性、客観性の高い検査結果を得ることが可能となる。なお、この場合、口腔内カメラを動かすことにより撮影領域を動かしてもよいし、口腔内カメラは固定しておいて、光学系を動かすことにより撮影領域を動かしてもよい。
【符号の説明】
【０１１９】
１００，５００，６００，７００，８００，９００…歯周疾患検査装置、１１０，１１０ａ，１１０ｄ…口腔内カメラ、１１２…手持ち部、１１４…アーム部、１１６，１１６ａ，１１６ｂ，１１６ｃ，１１６ｄ…ヘッド部、１１８…撮像装置、１２０…光学系、１２２…撮像素子、１２４…増幅部、１２６，１２６ａ，１２６ｂ，１２６ｃ…照明装置、１２８…制御部、１３０，１３２…接続コード、１４０…装置本体、１５０…画像モニタ、１６０…印刷装置、１７０…偏光フィルタ、１７２…カラーフィルタ、１７４…光シャッタ、１７６…使い捨てタイプの筒状スペーサ、１７８…位置調整用突起、５０１…歯、５０８…歯周ポケット、５１１…光源、５１２…レンズ、５１３…投光用光ファイバ、５１４…目盛り、５１９…受光用光ファイバ、５２０…フォトダイオード、５２１…信号処理部、５２２…スピーカー、５２３…光源ユニット、５２４…把持用カバー、５２５…プローブ、５２６…データ処理ユニット、６０１…光源、６０２…光源側偏光フィルタ、６０２ｐ…光源側偏光フィルタ（ｐ偏光透過タイプ）、６０３…受光側偏光フィルタ、６０３ｐ…光源側偏光フィルタ（ｐ偏光透過タイプ）、６０３ｓ…光源側偏光フィルタ（ｓ偏光透過タイプ）、６０４…撮像装置、６０６…モニタ、７１１…検査ヘッド、７１１ａ…開口、７１２，７１３…ミラー、７１４，７１５…光ファイバ、７１４ａ，７１５ａ…遊端部、７１６…対物レンズ、７２０…チューブ、７２１…把持部、７５０…歯周疾患盲嚢、７５２…歯、７６０…ノズル、７６１…イカスミ、８０１…赤外線カメラ、８０２…被験歯周組織、８０３…画像処理装置、８０４…コンピュータ、８０５…モニタ、８０６…記録再現装置、８０７…熱的差異強調手段、８０８…観察補助装置、Ｄ１…歯、Ｄ２…歯肉、Ｄ３…歯槽骨、Ｇ…歯茎、Ｌ１，Ｌ１（ｐ）……照明光、Ｌ２，Ｌ２（ｐ）……表面反射光、Ｌ３（ｐ／ｓ）…内部反射光、Ｌ４…蛍光、Ｒ…検査対象部位、Ｔ１…カラーフィルタ１７２の光通過率、Ｔ２…光シャッタ１７４の光通過率
【図１】
2008013181.tif 000003
【図２】
2008013181.tif 000004
【図３】
2008013181.tif 000005
【図４】
2008013181.tif 000006
【図５】
2008013181.tif 000007
【図６】
2008013181.tif 000008
【図７】
2008013181.tif 000009
【図８】
2008013181.tif 000010
【図９】
2008013181.tif 000011
【図１０】
2008013181.tif 000012
【国際調査報告】
2008013181.tif 000013
2008013181.tif 000014
2008013181.tif 000015
2008013181.tif 000016